(57)【要約】      （修正有）【課題】電子機器がオートパワーオフ後の電源オン時にオートパワーオフ前の作業状態を引き継ぐか否かをより適切に選択する技術を提供する。【解決手段】ユーザ操作に応じて実行される第１の作業の状態を示す第１の作業情報を記録媒体に記録する記録制御手段と、ユーザ操作が行われない状態が継続した時間が設定時間に達したことに応じて電子機器を自動的に電源オフ状態にするオートパワーオフを行う電源制御手段と、設定時間を設定する設定手段と、設定時間が第１の時間以下の設定でオートパワーオフが行われた場合、オートパワーオフが行われた時の第１の作業の状態を、電子機器が次に電源オン状態になった時に引き継ぎ、設定時間が第１の時間より長い設定でオートパワーオフが行われた場合、オートパワーオフが行われた時の第１の作業の状態を、電子機器が次に電源オン状態になった時に引き継がないように制御する状態制御手段と、を備える。【選択図】図３
2018091971.tif 000002
【特許請求の範囲】
【請求項１】
電子機器であって、
ユーザ操作に応じて実行される第１の作業の状態を示す第１の作業情報を記録媒体に記録する記録制御手段と、
ユーザ操作が行われない状態が継続した時間が設定時間に達したことに応じて前記電子機器を自動的に電源オフ状態にするオートパワーオフを行う電源制御手段と、
前記設定時間を設定する設定手段と、
前記設定時間が第１の時間以下の設定で前記オートパワーオフが行われた場合、前記オートパワーオフが行われた時の前記第１の作業の状態を、前記電子機器が次に電源オン状態になった時に引き継ぎ、
前記設定時間が前記第１の時間より長い設定で前記オートパワーオフが行われた場合、前記オートパワーオフが行われた時の前記第１の作業の状態を、前記電子機器が次に電源オン状態になった時に引き継がない
ように制御する状態制御手段と、
を備えることを特徴とする電子機器。
【請求項２】
前記記録媒体は揮発性の記録媒体であり、
前記状態制御手段は、前記設定時間が前記第１の時間以下の設定で前記オートパワーオフが行われる際に、前記第１の作業情報を不揮発性の記録媒体に記録する
ことを特徴とする請求項１に記載の電子機器。
【請求項３】
前記記録媒体は不揮発性の記録媒体であり、
前記状態制御手段は、前記設定時間が前記第１の時間より長い設定で前記オートパワーオフが行われる際に、前記第１の作業情報を前記不揮発性の記録媒体から消去する
ことを特徴とする請求項１に記載の電子機器。
【請求項４】
前記電源制御手段は、ユーザの電源オフ操作に応じて前記電子機器を電源オフ状態にするように構成され、
前記状態制御手段は、前記電源オフ操作により前記電子機器が電源オフ状態になった場合、前記設定時間に関わらず、前記電源オフ操作が行われた時の前記第１の作業の状態を、前記電子機器が次に電源オン状態になった時に引き継がないように制御する
ことを特徴とする請求項１乃至３のいずれか１項に記載の電子機器。
【請求項５】
複数回の撮影指示に応じた複数回の撮影を含む１組の撮影を行う撮影制御手段を更に備え、
前記第１の作業情報は、前記１組の撮影の進捗を示し、
前記状態制御手段は、前記設定時間が前記第１の時間以下の設定で前記オートパワーオフが行われた場合、前記電子機器が次に電源オン状態になった時に、前記撮影制御手段が前記オートパワーオフが行われた時の続きから前記１組の撮影を行えるように制御する
ことを特徴とする請求項１乃至４のいずれか１項に記載の電子機器。
【請求項６】
前記１組の撮影は、オートブラケット撮影における１組の撮影であり、
前記第１の作業情報は、前記オートブラケット撮影における前記１組の撮影の何回目の撮影まで行ったかを示す
ことを特徴とする請求項５に記載の電子機器。
【請求項７】
前記オートブラケット撮影は、撮影毎に異なる露出で撮影を行う露出ブラケット撮影である
ことを特徴とする請求項６に記載の電子機器。
【請求項８】
前記オートブラケット撮影は、撮影毎に異なるフォーカス位置で撮影を行うフォーカスブラケット撮影である
ことを特徴とする請求項６に記載の電子機器。
【請求項９】
前記オートブラケット撮影は、撮影毎に異なるホワイトバランス設定値で撮影を行うＷＢブラケット撮影である
ことを特徴とする請求項６に記載の電子機器。
【請求項１０】
前記１組の撮影は、複数回の撮影により得られた画像を合成した画像を得るための撮影である
ことを特徴とする請求項５に記載の電子機器。
【請求項１１】
前記１組の撮影は、多重露光撮影、パノラマ画像を得るための撮影、又は、複数回の撮影で得られた各画像を所定のレイアウトで平面上に配置した１枚の合成画像を得るための撮影である
ことを特徴とする請求項１０に記載の電子機器。
【請求項１２】
複数の画像の中から選択された画像を表示手段に表示すると共に前記選択された画像をユーザの切替操作に応じて切り替えるように制御する表示制御手段を更に備え、
前記第１の作業情報は、前記切替操作に応じて最後に選択された画像を示し、
前記状態制御手段は、前記設定時間が前記第１の時間以下の設定で前記オートパワーオフが行われた場合、前記電子機器が次に電源オン状態になった時に、前記表示制御手段が前記オートパワーオフが行われた時の前記第１の作業情報が示す画像を表示できるように制御する
ことを特徴とする請求項１乃至４のいずれか１項に記載の電子機器。
【請求項１３】
複数回の撮影指示に応じた複数回の撮影を含む１組の撮影を行う撮影制御手段と、
複数の画像の中から選択された画像を表示手段に表示すると共に前記選択された画像をユーザの切替操作に応じて切り替えるように制御する表示制御手段と、
を更に備え、
前記記録制御手段は、ユーザ操作に応じて実行される第２の作業の状態を示す第２の作業情報を前記記録媒体に記録するように構成され、
前記第１の作業情報は、前記１組の撮影の進捗を示し、
前記第２の作業情報は、前記切替操作に応じて最後に選択された画像を示し、
前記状態制御手段は、
前記設定時間が前記第１の時間以下の設定で前記オートパワーオフが行われた場合、前記電子機器が次に電源オン状態になった時に、前記撮影制御手段が前記オートパワーオフが行われた時の続きから前記１組の撮影を行えるように制御すると共に、前記表示制御手段が前記オートパワーオフが行われた時の前記第２の作業情報が示す画像を表示できるように制御し、
前記設定時間が前記第１の時間より長い第２の時間以下の設定で前記オートパワーオフが行われた場合、前記電子機器が次に電源オン状態になった時に、前記表示制御手段が前記オートパワーオフが行われた時の前記第２の作業情報が示す画像を表示できるように制御し、
前記設定時間が前記第２の時間より長い設定で前記オートパワーオフが行われた場合、前記オートパワーオフが行われた時の前記第２の作業の状態を、前記電子機器が次に電源オン状態になった時に引き継がないように制御する
ことを特徴とする請求項１乃至４のいずれか１項に記載の電子機器。
【請求項１４】
前記第１の時間は、１分以下であることを特徴とする請求項１乃至１３のいずれか１項に記載の電子機器。
【請求項１５】
前記設定手段により前記設定時間が前記第１の時間よりも長く設定されたことに応じて、前記オートパワーオフが行われると前記オートパワーオフが行われた時の前記第１の作業の状態が引き継がれない旨をユーザに通知する第１の通知手段を更に備える
ことを特徴とする請求項１乃至１４のいずれか１項に記載の電子機器。
【請求項１６】
前記設定時間は、複数の候補の中から選択することにより前記設定時間を設定する
ことを特徴とする請求項１乃至１５のいずれか１項に記載の電子機器。
【請求項１７】
前記オートパワーオフが行われた時の前記第１の作業の状態が引き継がれる場合、前記電子機器が次に電源オン状態になったことに応じて、前記オートパワーオフが行われた時の前記第１の作業の状態が引き継がれる旨をユーザに通知し、
前記オートパワーオフが行われた時の前記第１の作業の状態が引き継がれない場合、前記電子機器が次に電源オン状態になったことに応じて、前記オートパワーオフが行われた時の前記第１の作業の状態が引き継がれない旨をユーザに通知する
第２の通知手段を更に備える
ことを特徴とする請求項１乃至１６のいずれか１項に記載の電子機器。
【請求項１８】
前記設定時間が前記第１の時間以下の設定で前記オートパワーオフが行われた場合であっても、前記電子機器が次に電源オン状態になった時に前記オートパワーオフが行われた時から所定時間以上経過していた場合には、前記状態制御手段は、前記オートパワーオフが行われた時の前記第１の作業の状態を引き継がないように制御する
ことを特徴とする請求項１乃至１７のいずれか１項に記載の電子機器。
【請求項１９】
前記状態制御手段が、前記設定時間が前記第１の時間以下の設定で前記オートパワーオフが行われた場合、前記オートパワーオフが行われた時の前記第１の作業の状態を、前記電子機器が次に電源オン状態になった時に引き継ぐように制御するか引き継がないように制御するかを、ユーザ操作に応じて切り替える切替手段を更に備える
ことを特徴とする請求項１乃至１８のいずれか１項に記載の電子機器。
【請求項２０】
電子機器が実行する制御方法であって、
ユーザ操作に応じて実行される第１の作業の状態を示す第１の作業情報を記録媒体に記録する記録制御工程と、
ユーザ操作が行われない状態が継続した時間が設定時間に達したことに応じて前記電子機器を自動的に電源オフ状態にするオートパワーオフを行う電源制御工程と、
前記設定時間を設定する設定工程と、
前記設定時間が第１の時間以下の設定で前記オートパワーオフが行われた場合、前記オートパワーオフが行われた時の前記第１の作業の状態を、前記電子機器が次に電源オン状態になった時に引き継ぎ、
前記設定時間が前記第１の時間より長い設定で前記オートパワーオフが行われた場合、前記オートパワーオフが行われた時の前記第１の作業の状態を、前記電子機器が次に電源オン状態になった時に引き継がない
ように制御する状態制御工程と、
を備えることを特徴とする制御方法。
【請求項２１】
コンピュータを、請求項１乃至１９のいずれか１項に記載された電子機器の各手段として機能させるためのプログラム。
【請求項２２】
コンピュータを、請求項１乃至１９のいずれか１項に記載された電子機器の各手段として機能させるためのプログラムを格納したコンピュータが読み取り可能な記憶媒体。
【発明の詳細な説明】
【技術分野】
【０００１】
本発明は、電子機器、制御方法、プログラム、及び記憶媒体に関する。
【背景技術】
【０００２】
電子機器（例えばデジタルカメラ）の中には、何らかの作業（例えば画像の撮影や再生）を実行している途中であっても、一定時間ユーザ操作が行われないと節電のために電源を自動的にオフ状態にする制御（オートパワーオフ）を行うものがある。従来、オートパワーオフが行われた場合、ユーザの意思に反して作業状態が失われてしまうことがあった。
【０００３】
作業状態の喪失防止に関係する技術として、特許文献１及び特許文献２が知られている。特許文献１は、電源状態によらず、所定時刻から所定時間が経過するまでは設定された撮影モードを保持し、所定時刻から所定時間が経過した後に撮影モードを初期モードに設定するカメラを開示している。特許文献２は、バッテリーカバーが外れる状態になったことを検知した場合に、処理中のデータを不揮発性メモリに退避させる電子機器を開示している。
【先行技術文献】
【特許文献】
【０００４】
【特許文献１】特開２００２−６３７７号公報
【特許文献２】特開２００１−１２７４５６号公報
【発明の概要】
【発明が解決しようとする課題】
【０００５】
オートパワーオフ時にユーザの意思に反して作業状態が失われる可能性がある一方で、電源オン時にオートパワーオフ前の作業状態を引き継ぐことをユーザが常に望むとは限らない。しかし、特許文献１及び特許文献２は、オートパワーオフ時の作業状態の取り扱いについて考慮しておらず、電源オン時にオートパワーオフ前の作業状態を引き継ぐか否かを適切に選択することができない。
【０００６】
本発明はこのような状況に鑑みてなされたものであり、電子機器がオートパワーオフ後の電源オン時にオートパワーオフ前の作業状態を引き継ぐか否かをより適切に選択する技術を提供することを目的とする。
【課題を解決するための手段】
【０００７】
上記課題を解決するために、本発明は、電子機器であって、ユーザ操作に応じて実行される第１の作業の状態を示す第１の作業情報を記録媒体に記録する記録制御手段と、ユーザ操作が行われない状態が継続した時間が設定時間に達したことに応じて前記電子機器を自動的に電源オフ状態にするオートパワーオフを行う電源制御手段と、前記設定時間を設定する設定手段と、前記設定時間が第１の時間以下の設定で前記オートパワーオフが行われた場合、前記オートパワーオフが行われた時の前記第１の作業の状態を、前記電子機器が次に電源オン状態になった時に引き継ぎ、前記設定時間が前記第１の時間より長い設定で前記オートパワーオフが行われた場合、前記オートパワーオフが行われた時の前記第１の作業の状態を、前記電子機器が次に電源オン状態になった時に引き継がないように制御する状態制御手段と、を備えることを特徴とする電子機器を提供する。
【０００８】
なお、その他の本発明の特徴は、添付図面及び以下の発明を実施するための形態における記載によって更に明らかになるものである。
【発明の効果】
【０００９】
本発明によれば、電子機器がオートパワーオフ後の電源オン時にオートパワーオフ前の作業状態を引き継ぐか否かをより適切に選択することが可能となる。
【図面の簡単な説明】
【００１０】
【図１】デジタルカメラ１００の外観図。
【図２】デジタルカメラ１００の構成例を示すブロック図。
【図３】デジタルカメラ１００における撮影モード処理のフローチャート。
【図４】（ａ）オートパワーオフ時間設定処理（Ｓ３０５）のフローチャート、（ｂ）（ｃ）オートパワーオフ時間の設定画面例を示す図。
【図５】撮影処理（Ｓ３０７）のフローチャート。
【図６】再生モード処理（Ｓ３０９）のフローチャート。
【図７】変形例１のフローチャート。
【図８】変形例２のフローチャート。
【発明を実施するための形態】
【００１１】
以下、添付図面を参照して、本発明の実施形態を説明する。なお、本発明の技術的範囲は、特許請求の範囲によって確定されるのであって、以下の個別の実施形態によって限定されるわけではない。また、実施形態の中で説明されている特徴の組み合わせすべてが、本発明に必須とは限らない。
【００１２】
［第１の実施形態］
図１に、本発明を適用可能な電子機器の一例としてのデジタルカメラ１００の外観図を示す。図１（ａ）は、デジタルカメラ１００の前面斜視図であり、図１（ｂ）は、デジタルカメラ１００の背面斜視図である。図１において、表示部２８は、画像や各種情報を表示する、カメラ背面に設けられた表示部である。ファインダ外表示部４３は、カメラ上面に設けられた表示部であり、シャッター速度や絞りをはじめとするカメラの様々な設定値が表示される。シャッターボタン６１は、撮影指示を行うための操作部である。モード切替スイッチ６０は、各種モードを切り替えるための操作部である。端子カバー４０は、外部機器とデジタルカメラ１００とを接続する接続ケーブル等のためのコネクタ（不図示）を保護するカバーである。メイン電子ダイヤル７１は、操作部７０（図２を参照して後述）に含まれる回転操作部材であり、ユーザは、このメイン電子ダイヤル７１を回すことで、シャッター速度や絞りなどの設定値の変更等が行える。電源スイッチ７２は、デジタルカメラ１００の電源のＯＮ及びＯＦＦを切り替える操作部材である。サブ電子ダイヤル７３は、操作部７０に含まれる回転操作部材であり、選択枠の移動や画像送りなどを行うために使用される。十字キー７４は、操作部７０に含まれ、上、下、左、右部分をそれぞれ押し込み可能な十字キー（４方向キー）である。ユーザは、十字キー７４の特定の部分を押下することにより、押下した部分に応じた操作が可能である。ＳＥＴボタン７５は、操作部７０に含まれる押しボタンであり、主に選択項目の決定などに用いられる。ＬＶボタン７６は、操作部７０に含まれ、メニューボタンにおいてライブビュー（以下、ＬＶ）のＯＮとＯＦＦ（表示／非表示）を切り替えるボタンである。動画撮影モードにおいては、動画撮影（記録）の開始、停止の指示に用いられる。拡大ボタン７７は、操作部７０に含まれ、撮影モードのライブビュー表示（以下、ＬＶ表示）において拡大モードのＯＮとＯＦＦを切り替えると共に、拡大モード中の拡大率の変更を行うための操作ボタンである。拡大ボタン７７は、再生モードにおいては再生画像を拡大し、拡大率を増加させるための拡大ボタンとして機能する。縮小ボタン７８は、操作部７０に含まれ、拡大された再生画像の拡大率を低下させ、表示された画像を縮小させるためのボタンである。再生ボタン７９は、操作部７０に含まれ、撮影モードと再生モードとを切り替える操作ボタンである。ユーザは、撮影モード中に再生ボタン７９を押下することでデジタルカメラ１００を再生モードに移行し、記録媒体２００に記録された画像のうち最新の画像を表示部２８に表示させることができる。クイックリターンミラー１２は、システム制御部５０（図２を参照して後述）から指示されて、不図示のアクチュエータによりアップダウンされる。通信端子１０は、デジタルカメラ１００がレンズ側（着脱可能）と通信を行うための通信端子である。接眼ファインダ１６は、ユーザが、フォーカシングスクリーン１３（図２を参照して後述）を観察することで、レンズユニット１５０（図２を参照して後述）を通して得た被写体の光学像の焦点や構図の確認を行うための覗き込み型のファインダである。蓋２０２は、記録媒体２００を格納するスロットの蓋である。グリップ部９０は、ユーザがデジタルカメラ１００を構えた際に右手で握りやすい形状とした保持部である。
【００１３】
図２は、デジタルカメラ１００の構成例を示すブロック図である。図２において、レンズユニット１５０は、交換可能な撮影レンズを搭載するレンズユニットである。レンズ１０３は通常、複数枚のレンズから構成されるが、ここでは簡略化して１枚のレンズのみで示している。通信端子６は、レンズユニット１５０がデジタルカメラ１００側と通信を行うための通信端子であり、通信端子１０は、デジタルカメラ１００がレンズユニット１５０側と通信を行うための通信端子である。レンズユニット１５０は、この通信端子６，１０を介してシステム制御部５０と通信し、内部のレンズシステム制御回路４によって絞り駆動回路２を介して絞り１の制御を行い、ＡＦ駆動回路３を介してレンズ１０３の位置を変位させることで焦点を合わせる。
【００１４】
ＡＥセンサ１７は、レンズユニット１５０を通した被写体の輝度を測光する。焦点検出部１１は、システム制御部５０にデフォーカス量情報を出力する。システム制御部５０は、デフォーカス量情報に基づいてレンズユニット１５０を制御し、位相差ＡＦを行う。
【００１５】
クイックリターンミラー１２は、露光、ＬＶ撮影（ライブビュー撮影）、動画撮影の際に、システム制御部５０から指示されて、不図示のアクチュエータによりアップダウンされる。クイックリターンミラー１２は、レンズ１０３から入射した光束を接眼ファインダ１６側と撮像部２２側とに切り替えるためのミラーである。クイックリターンミラー１２は通常時は接眼ファインダ１６へと光束を導くよう反射させるように配されているが、撮影が行われる場合やＬＶ表示の場合には、撮像部２２へと光束を導くように上方に跳ね上がり光束中から待避する（ミラーアップ）。また、クイックリターンミラー１２は、その中央部が光の一部を透過できるようにハーフミラーとなっており、光束の一部を、焦点検出を行うための焦点検出部１１に入射するように透過させる。
【００１６】
ユーザは、ペンタプリズム１４と接眼ファインダ１６を介して、フォーカシングスクリーン１３を観察することで、レンズユニット１５０を通して得た被写体の光学像の焦点や構図の確認が可能である。
【００１７】
シャッター１０１は、システム制御部５０の制御で撮像部２２の露光時間を自由に制御できるフォーカルプレーンシャッターである。撮像部２２は、光学像を電気信号に変換するＣＣＤやＣＭＯＳ素子等で構成される撮像素子である。Ａ／Ｄ変換器２３は、アナログ信号をデジタル信号に変換する。Ａ／Ｄ変換器２３は、撮像部２２から出力されるアナログ信号をデジタル信号に変換するために用いられる。
【００１８】
画像処理部２４は、Ａ／Ｄ変換器２３からのデータ、又は、メモリ制御部１５からのデータに対し、所定の画素補間、縮小のようなリサイズ処理、色変換処理などを行う。また、画像処理部２４では、撮像した画像データを用いて所定の演算処理が行われ、得られた演算結果に基づいてシステム制御部５０が露光制御、測距制御を行う。これにより、ＴＴＬ（スルー・ザ・レンズ）方式のＡＦ（オートフォーカス）処理、ＡＥ（自動露出）処理、ＥＦ（フラッシュプリ発光）処理が行われる。画像処理部２４では更に、撮像した画像データを用いて所定の演算処理を行い、得られた演算結果に基づいてＴＴＬ方式のＡＷＢ（オートホワイトバランス）処理も行っている。
【００１９】
Ａ／Ｄ変換器２３からの出力データは、画像処理部２４及びメモリ制御部１５を介して、或いは、メモリ制御部１５を介して直接、メモリ３２に書き込まれる。メモリ３２は、撮像部２２によって得られＡ／Ｄ変換器２３によりデジタルデータに変換された画像データや、表示部２８に表示するための画像データを格納する。メモリ３２は、所定枚数の静止画像や所定時間の動画像及び音声を格納するのに十分な記憶容量を備えている。また、メモリ３２は、画像表示用のメモリ（ビデオメモリ）を兼ねている。
【００２０】
Ｄ／Ａ変換器１９は、メモリ３２に格納されている画像表示用のデータをアナログ信号に変換して表示部２８に供給する。こうして、メモリ３２に書き込まれた表示用の画像データは、Ｄ／Ａ変換器１９を介して表示部２８により表示される。表示部２８は、ＬＣＤ等の表示器上に、Ｄ／Ａ変換器１９からのアナログ信号に応じた表示を行う。Ａ／Ｄ変換器２３によって一度Ａ／Ｄ変換されメモリ３２に蓄積されたデジタル信号をＤ／Ａ変換器１９においてアナログ変換し、表示部２８に逐次転送して表示することで、表示部２８は電子ビューファインダとして機能する。これにより、スルー画像表示（ＬＶ表示）を行える。
【００２１】
ファインダ内表示部４１には、ファインダ内表示部駆動回路４２を介して、現在オートフォーカスが行われている測距点を示す枠（ＡＦ枠）や、カメラの設定状態を表すアイコンなどが表示される。ファインダ外表示部４３には、ファインダ外表示部駆動回路４４を介して、シャッター速度や絞りをはじめとするカメラの様々な設定値が表示される。
【００２２】
不揮発性メモリ５６は、電気的に消去・記録可能なメモリであり、例えばＥＥＰＲＯＭ等が用いられる。不揮発性メモリ５６には、システム制御部５０の動作用の定数、プログラム等が記憶される。ここで言うプログラムとは、本実施形態にて後述する各種フローチャートを実行するためのプログラムのことである。
【００２３】
システム制御部５０は、少なくとも１つのプロセッサを有する制御部であり、デジタルカメラ１００全体を制御する。システム制御部５０は、前述した不揮発性メモリ５６に記録されたプログラムを実行することで、後述する本実施形態の各処理を実現する。また、システム制御部５０は、メモリ３２、Ｄ／Ａ変換器１９、表示部２８等を制御することにより表示制御も行う。システムメモリ５２は、ＲＡＭなどにより実装されるシステムメモリである。システムメモリ５２には、システム制御部５０の動作用の定数、変数、不揮発性メモリ５６から読み出したプログラム等を展開する。
【００２４】
システムタイマー５３は、各種制御に用いる時間や、内蔵された時計の時間を計測する計時部である。モード切替スイッチ６０、第１シャッタースイッチ６２、第２シャッタースイッチ６４、及び操作部７０は、システム制御部５０に各種の動作指示を入力するための操作部材である。
【００２５】
モード切替スイッチ６０は、システム制御部５０の動作モードを静止画記録モード、動画撮影モード、再生モード等のいずれかに切り替える。静止画記録モードに含まれるモードとして、オート撮影モード、オートシーン判別モード、マニュアルモード、絞り優先モード（Ａｖモード）、シャッター速度優先モード（Ｔｖモード）がある。また、撮影シーン別の撮影設定となる各種シーンモード、プログラムＡＥモード、カスタムモード等がある。デジタルカメラ１００は、モード切替スイッチ６０で、これらのモードのいずれかに直接切り替えられるように構成される。或いは、モード切替スイッチ６０で撮影モードの一覧画面に一旦切り換えた後に、表示された複数のモードのいずれかを選択し、他の操作部材を用いて切り替えるようにデジタルカメラ１００を構成してもよい。同様に、動画撮影モードにも複数のモードが含まれていてもよい。
【００２６】
第１シャッタースイッチ６２は、デジタルカメラ１００に設けられたシャッターボタン６１の操作途中、いわゆる半押し（撮影準備指示）でＯＮとなり、第１シャッタースイッチ信号ＳＷ１を発生する。システム制御部５０は、第１シャッタースイッチ信号ＳＷ１に応じて、ＡＦ（オートフォーカス）処理、ＡＥ（自動露出）処理、ＡＷＢ（オートホワイトバランス）処理、ＥＦ（フラッシュプリ発光）処理等の動作を開始する。
【００２７】
第２シャッタースイッチ６４は、シャッターボタン６１の操作完了、いわゆる全押し（撮影指示）でＯＮとなり、第２シャッタースイッチ信号ＳＷ２を発生する。システム制御部５０は、第２シャッタースイッチ信号ＳＷ２に応じて、撮像部２２からの信号読み出しから記録媒体２００に画像データを書き込むまでの一連の撮影処理の動作を開始する。
【００２８】
操作部７０の各操作部材は、表示部２８に表示される種々の機能アイコンを選択操作することなどにより、場面ごとに適宜機能が割り当てられ、各種機能ボタンとして作用する。機能ボタンとしては、例えば終了ボタン、戻るボタン、画像送りボタン、ジャンプボタン、絞込みボタン、属性変更ボタン等がある。例えば、メニューボタンが押されると各種の設定可能なメニュー画面が表示部２８に表示される。ユーザは、表示部２８に表示されたメニュー画面と、上下左右の４方向ボタンやＳＥＴボタンとを用いて直感的に各種設定を行うことができる。
【００２９】
操作部７０は、ユーザからの操作を受け付ける入力部としての各種操作部材である。操作部７０には、少なくとも以下の操作部が含まれる。シャッターボタン６１、メイン電子ダイヤル７１、電源スイッチ７２、サブ電子ダイヤル７３、十字キー７４、ＳＥＴボタン７５、ＬＶボタン７６、拡大ボタン７７、縮小ボタン７８、再生ボタン７９。
【００３０】
電源制御部８０は、電池検出回路、ＤＣ−ＤＣコンバータ、通電するブロックを切り替えるスイッチ回路等により構成され、電池の装着の有無、電池の種類、電池残量の検出を行う。また、電源制御部８０は、その検出結果及びシステム制御部５０の指示に基づいてＤＣ−ＤＣコンバータを制御し、必要な電圧を必要な期間、記録媒体２００を含む各部へ供給する。
【００３１】
電源部３０は、アルカリ電池やリチウム電池等の一次電池やＮｉＣｄ電池やＮｉＭＨ電池、Ｌｉ電池等の二次電池、ＡＣアダプター等からなる。記録媒体Ｉ／Ｆ１８は、メモリカードやハードディスク等の記録媒体２００とのインタフェースである。記録媒体２００は、撮影された画像を記録するためのメモリカード等の記録媒体であり、半導体メモリや磁気ディスク等から構成される。
【００３２】
通信部５４は、無線又は有線ケーブルによって外部機器と接続し、映像信号や音声信号の送受信を行う。通信部５４は、無線ＬＡＮ（Ｌｏｃａｌ  Ａｒｅａ  Ｎｅｔｗｏｒｋ）やインターネットとも接続可能である。通信部５４は、撮像部２２で撮像した画像（スルー画像を含む）や、記録媒体２００に記録された画像を送信可能であり、また、外部機器から画像データやその他の各種情報を受信することができる。
【００３３】
姿勢検知部５５は、重力方向に対するデジタルカメラ１００の姿勢を検知する。姿勢検知部５５で検知された姿勢に基づいて、撮像部２２で撮影された画像が、デジタルカメラ１００を横に構えて撮影された画像であるか、縦に構えて撮影された画像なのかを判別可能である。システム制御部５０は、姿勢検知部５５で検知された姿勢に応じた向き情報を撮像部２２で撮像された画像の画像ファイルに付加したり、画像を回転して記録したりすることが可能である。姿勢検知部５５としては、加速度センサやジャイロセンサなどを用いることができる。
【００３４】
デジタルカメラ１００では、自動的に設定した基準の露出値（基準値）を中心としてオーバー側及びアンダー側に自動的に補正した複数の露出値（ブラケット値）で複数の画像を撮影する、露出のオートブラケット（ＡＥＢ）撮影が可能である。露出ブラケット撮影の基準値は、ユーザが設定した露出補正値であってもよい。オートブラケットの設定枚数として、以下の候補のいずれかを予めユーザがメニュー画面から設定する。
【００３５】
・２枚：基準値と、オーバー側、アンダー側のいずれか一方の露出値（ブラケット値）での撮影
・３枚：基準値と、オーバー側、アンダー側のブラケット値でのそれぞれ１枚ずつの撮影
・５枚：基準値と、オーバー側の異なる２つのブラケット値と、アンダー側の異なる２つのブラケット値での撮影
・７枚：基準値と、オーバー側の異なる３つのブラケット値と、アンダー側の異なる３つのブラケット値での撮影
【００３６】
オートブラケット撮影では、デジタルカメラ１００は、１回の撮影指示（シャッターボタン６１の全押し）に応じて１枚の画像を撮影する。デジタルカメラ１００は、１回の撮影毎に露出値を変えて、設定枚数の撮影が行われるとオートブラケット撮影を終了する。例えば、オートブラケット撮影を行うモードにデジタルカメラ１００が設定され、設定枚数が３枚に設定されている場合には、１回目の撮影指示に応じて基準値での撮影が行われる。続く２回目の撮影に応じてオーバー側の露出値での撮影が行われ、３回目の撮影指示に応じてアンダー側の露出値での撮影が行われ、１組のブラケット撮影の撮影制御が終了する。デジタルカメラ１００は、ブラケット撮影中に、ブラケット撮影の進捗（１組のブラケット撮影のうち何回目の撮影までを行ったか）を管理する変数として、ブラケット枚数を揮発性のシステムメモリ５２に記録して保持する。デジタルカメラ１００は、現在のブラケット枚数が何枚であるかに応じて、次の撮影の露出値を決定する。なお、デジタルカメラ１００は、ブラケット撮影中に、ブラケット枚数を不揮発性メモリ５６に保持してもよい。
【００３７】
図３に、デジタルカメラ１００における撮影モード処理のフローチャートを示す。電源スイッチ７２が操作され電源がオン状態となるか、デジタルカメラ１００が再生モードなどの他の動作モードから撮影モードへ遷移すると、図２の処理が開始される。この処理は、特に断らない限り、不揮発性メモリ５６に記録されたプログラムをシステムメモリ５２に展開してシステム制御部５０が実行することで実現する。
【００３８】
デジタルカメラ１００は、オートパワーオフが行われた時の作業状態を、次に電源オン状態になった時に引き継ぐか否かを、オートパワーオフの設定時間に応じて切り替える。図３の説明においては、作業はブラケット撮影及び再生モード処理を含み、作業状態はブラケット枚数及び再生開始番号を含むものとする。ブラケット枚数は、１組のブラケット撮影のうち何回目の撮影までを行ったかを管理する変数である。再生モード処理及び再生開始番号の詳細については、図６を用いて後述する。
【００３９】
なお、本実施形態において、作業はブラケット撮影及び再生モード処理に限定されず、作業状態はブラケット枚数及び再生開始番号に限定されない。本実施形態は、ユーザ操作に応じて実行される任意の作業及びその状態に対して適用可能である。
【００４０】
Ｓ３０１で、システム制御部５０は、初期処理を行う。初期処理では、残り撮影枚数やストロボのオンオフ、画質設定などの、各種撮影設定に関する情報表示が行われる。また、デジタルカメラ１００がライブビューモードに設定されている場合は、ライブビューの撮像と表示などが行われる。更に、不揮発性メモリ５６に前回までのブラケット撮影の状態を示す作業情報（ブラケット枚数）が記録されていた場合には、システム制御部５０は、作業情報をシステムメモリ５２に読み出し、前回までの撮影の続きの撮影が行えるように制御する。具体的には、システム制御部５０は、後述する処理によって、前回ブラケット撮影の途中でオートパワーオフによって電源がオフとなった場合に、１組の何回目の撮影まで行ったかを示すブラケット枚数が記憶されていた場合にはこれを読み出す。そして、システム制御部５０は、続きのブラケット撮影が行えるように制御する。また、Ｓ３０１では、システム制御部５０は、システムタイマー５３を用いた、無操作の継続時間（ユーザ操作が行われない状態が継続した時間）を計測するオートパワーオフタイマの計測（カウント）も開始する。
【００４１】
なお、前述の通り、デジタルカメラ１００は、ブラケット撮影中に、ブラケット枚数を不揮発性メモリ５６に記録して保持してもよい。この場合、Ｓ３０１において作業情報（ブラケット枚数）をシステムメモリ５２に読み出す処理は不要であり、システム制御部５０は、不揮発性メモリ５６に記録された作業情報に基づいて続きのブラケット撮影が行えるように制御すればよい。
【００４２】
Ｓ３０２で、システム制御部５０は、操作部７０、モード切替スイッチ６０、シャッターボタン６１、又は電源スイッチ７２に対して何らかの操作が行われたか否かを判定する。操作が行われた場合、処理はＳ３０３に進み、そうでない場合、処理はＳ３１３に進む。
【００４３】
Ｓ３０３で、システム制御部５０は、オートパワーオフタイマのカウントをリセットして再スタートする。
【００４４】
Ｓ３０４で、システム制御部５０は、Ｓ３０２で行われた操作が、オートパワーオフ時間の設定操作であったか否かを判定する。オートパワーオフの設定操作であった場合、処理はＳ３０５に進み、そうでない場合、処理はＳ３０６に進む。本実施形態では、オートパワーオフ時間の設定操作は、操作部７０に含まれるメニューボタンを押下し、表示されたメニュー画面からオートパワーオフ時間の設定項目（候補）を選択する操作であるものとする。Ｓ３０５のオートパワーオフ時間設定処理については、図４（ａ）を用いて後述する。
【００４５】
Ｓ３０６で、システム制御部５０は、Ｓ３０２で行われた操作が、シャッターボタン６１の半押し（撮影準備指示）であるか否か（即ち、第１シャッタースイッチ信号ＳＷ１が発生したか否か）を判定する。以下、第１シャッタースイッチ信号ＳＷ１が発生したことを、単にＳＷ１がオンとなったと表現する。ＳＷ１がオンとなった場合、処理はＳ３０７に進み、そうでない場合、処理はＳ３０８に進む。Ｓ３０７の撮影処理については、図５を用いて後述する。
【００４６】
Ｓ３０８で、システム制御部５０は、Ｓ３０２で行われた操作が、再生ボタン７９の押下であったか否かを判定する。再生ボタン７９の押下であった場合、処理はＳ３０９に進んで再生モードに遷移し、そうでない場合、処理はＳ３１０に進む。Ｓ３０９の再生モード処理の詳細については、図６を用いて後述する。
【００４７】
Ｓ３１０で、システム制御部５０は、Ｓ３０２で行われた操作が、電源スイッチ７２に対する電源をオフするためのユーザ操作（電源オフ操作）であったか否かを判定する。電源をオフするための操作であった場合、処理はＳ３１２に進み、そうでない場合、処理はＳ３１１に進む。
【００４８】
Ｓ３１１で、システム制御部５０は、その他の操作に応じたその他の処理を行う。例えば、システム制御部５０は、メイン電子ダイヤル７１の操作に応じて、シャッター速度や絞りなどの設定値の変更を行う。
【００４９】
Ｓ３１２で、システム制御部５０は、システムメモリ５２又は不揮発性メモリ５６に記録したブラケット枚数及び再生開始番号の情報をクリアする。その後、システム制御部５０は、Ｓ３１７で電源をオフ状態にして、処理を終了する。このように、ユーザが電源スイッチ７２を操作することによって電源がオフされた場合は、意図的な電源オフである。そのため、一連の撮影であるブラケット撮影の途中であっても、ユーザがブラケット撮影を終了させる意図があったと推測できる。そのため、システム制御部５０は、ブラケット撮影の作業情報（ブラケット枚数）は記憶せずに破棄する。また、システム制御部５０は、ブラケット撮影フラグ（図５のＳ５０１を参照して後述）をオフにする。これにより、システム制御部５０は、次回起動時に、ブラケット撮影を途中からも最初からも開始しない。再生についても同様であり、電源スイッチ７２の操作による意図的な電源オフの場合は、システム制御部５０は、再生に関する作業情報（再生開始番号）は破棄し、その後の起動後の再生では、前回再生していた画像からの再生とはしない。
【００５０】
なお、Ｓ３１２の説明では、システム制御部５０は作業情報をクリアするものとした。しかし、作業中の作業情報の記録場所が揮発性のシステムメモリ５２である場合、Ｓ３１７における電源オフ処理により作業情報が自動的にクリアされるため、Ｓ３１２における明示的なクリアは不要である。
【００５１】
また、作業中の作業情報の記録場所が不揮発性メモリ５６の場合であっても、システム制御部５０が次回起動時にこの作業情報を引き継がないようにするための何らかの処理があれば、Ｓ３１２における作業情報の明示的なクリアは不要である。例えば、システム制御部５０は、Ｓ３１２において引き継ぎフラグをオフにセットして不揮発性メモリ５６に記録する一方、後述するＳ３１６においては引き継ぎフラグをオンにセットして不揮発性メモリ５６に記録する。そして、システム制御部５０は、次回起動時に引き継ぎフラグがオンであるかオフであるかに応じて、作業情報を引き継ぐか否かを切り替える。
【００５２】
Ｓ３０２において操作が行われなかった場合、Ｓ３１３で、システム制御部５０は、オートパワーオフタイマをカウントアップする。
【００５３】
Ｓ３１４で、システム制御部５０は、オートパワーオフタイマが設定されたオートパワーオフ時間に達したか否か（即ち、ユーザ操作が行われない状態が継続した時間が設定時間に達したか否か）を判定する。オートパワーオフ時間に達した場合、処理はＳ３１５に進み、そうでない場合、処理はＳ３０２に戻り、システム制御部５０は、引き続き操作入力待ち状態となる。
【００５４】
Ｓ３１５で、システム制御部５０は、不揮発性メモリ５６に記録された、設定されているオートパワーオフ時間が、所定時間Ｔ１より長いか否かを判定する。オートパワーオフ時間が所定時間Ｔ１より長い場合、処理はＳ３１２に進み、オートパワーオフ時間が所定時間Ｔ１以下である場合、処理はＳ３１６に進む。Ｔ１は、例えば１０秒であるものとする。Ｔ１として他の閾値を設定してもよいが、ブラケット撮影が継続していると想定するか否かを判別する閾値であるため、Ｔ１は１分以下が好ましい。
【００５５】
Ｓ３１６で、システム制御部５０は、システムメモリ５２に記録された作業情報（ブラケット枚数及び再生開始番号）を不揮発性メモリ５６に記録する（作業中に作業情報を揮発性のシステムメモリ５２に記録する記録制御が行われる場合）。或いは、システム制御部５０は、不揮発性メモリ５６に記録された作業情報（ブラケット枚数及び再生開始番号）をそのまま保持する（作業中に作業情報を不揮発性メモリ５６に記録する記録制御が行われる場合）。ブラケット撮影の設定中であることを示すフラグ（ブラケット撮影フラグ）がオンとなっている場合は、システム制御部５０は、これを不揮発性メモリ５６に記録してもよい。その後、システム制御部５０は、Ｓ３１７で電源をオフ状態にして、処理を終了する。このように、オートパワーオフよって電源がオフされた場合は、ユーザによる意図的な電源オフではない。更に、オートパワーオフ時間の設定がＴ１以下であった場合は、ユーザには一連のブラケット撮影を終了する意図が無い可能性が高い。例えば、ブラケット撮影の途中であり、露出を変えた次の撮影のタイミングを待っている状態で、意図せず電源がオフとなった可能性がある。そのため、システム制御部５０は、オートパワーオフに起因する電源オフ状態からの復帰後（即ち、次回起動後）に、オートパワーオフが行われた時のブラケット撮影の状態を引き継ぐように制御する。即ち、システム制御部５０は、ブラケット撮影の続きを行えるように（露出を変えた次の撮影を行えるように）、ブラケット撮影の作業情報（ブラケット枚数）を不揮発性メモリ５６に記録する。再生についても同様であり、オートパワーオフ時間が短い場合のオートパワーオフに起因する電源オフ状態からの起動後の再生では、システム制御部５０は、前回再生していた画像からの再生（いわゆるレジューム再生）を実行する。レジューム再生を可能にするために、システム制御部５０は、再生開始番号の情報を不揮発性メモリ５６に記録する。
【００５６】
なお、本実施形態において、オートパワーオフ後の電源オン時にオートパワーオフ前の作業状態を引き継ぐ場合であっても、電源オン時に直ちに作業を実行することは必須ではない。引き継がれた作業状態からシステム制御部５０が作業を実行するタイミングは、作業及び作業情報の性質やデジタルカメラ１００の動作モードなどに応じて適宜決定される。例えば、デジタルカメラ１００が撮影モードで電源オン状態になった場合、システム制御部５０は、動作モードが再生モードに変更されたタイミングでレジューム再生を開始してもよい。このような場合も、再生に関する作業状態が引き継がれたと解釈することができる。
【００５７】
Ｓ３１５においてオートパワーオフ時間が所定時間Ｔ１より長い場合、Ｓ３１２の処理が行われる。ここでの処理内容は、上で説明した処理がＳ３１０からＳ３１２に進んだ場合と同様であり、システム制御部５０は、次回起動時に作業情報（ブラケット枚数及び再生開始番号）を引き継がないように制御を行う。その後、システム制御部５０は、Ｓ３１７で電源をオフ状態にして、処理を終了する。前述の通り、オートパワーオフよって電源がオフされた場合は、ユーザによる意図的な電源オフではない可能性がある。しかし、オートパワーオフ時間が長い場合には、前回の操作から十分時間が空いており、ユーザは一連のブラケット撮影又は再生による画像閲覧を一旦終了させた意図があったが、電源をオフするのを失念していた場合である可能性がある。そのため、システム制御部５０は、次回起動時に作業情報（ブラケット枚数及び再生開始番号）を引き継がないように制御を行う。また、特にブラケット撮影に関しては、一連の撮影が完了せずにオートパワーオフが行われた場合であっても、前回の撮影から長時間経過しており、被写体が同一でなくなっている可能性が高い。ブラケット撮影は、同一の被写体を設定（露出）を変えて複数回撮影することで、ユーザの望む画像をより確実に得ることを目的に行われるが、被写体が同一でなければこの目的は達成されない。そのため、オートパワーオフ時間が長い場合にブラケット枚数を引き継がないことにより、ブラケット撮影の無意味な再開を防止することができる。
【００５８】
なお、図３の例では、ブラケット撮影に関する作業情報を破棄するオートパワーオフ時間の閾値と再生に関する作業情報を破棄するオートパワーオフ時間の閾値を同じＴ１としたが、ブラケット撮影と再生とで異なる閾値を用いてもよい。例えば、システム制御部５０は、ブラケット撮影に関しては、オートパワーオフ時間がＴ１より長い場合にブラケット枚数を破棄するが、再生に関しては、オートパワーオフ時間がＴ２より長い場合に再生開始番号を破棄する。Ｔ１とＴ２との大小関係については特に限定されないが、一例としては、Ｔ１＜Ｔ２（例えば、Ｔ１は１０秒、Ｔ２は５分）である。これは、上述の通りブラケット撮影については同一の被写体を撮影する状況に無い場合は継続しない方がよいと考えられるのに対し、再生については場所が変わっても続きからの再生がユーザの意図に沿うケースがあるためである。例えば、電車で画像閲覧していたが、乗り換えを行う期間（Ｔ１よりは長く、Ｔ２よりは短い）無操作としており、乗り換え後に続きから再生を行いたいという状況があり得る。
【００５９】
また、再生に関する作業情報に関しては、電源オフの原因に関わらず次回起動時に作業情報を引き継ぐようにシステム制御部５０を構成してもよい。この場合、システム制御部５０は、オートパワーオフによって電源オフされた場合、オートパワーオフ時間の設定に関わらず（即ち、オートパワーオフ時間＞Ｔ１の場合でも）、再生に関する作業情報を引き継ぐように制御する。また、システム制御部５０は、電源スイッチ７２によって電源オフされた場合であっても、再生に関する作業情報を引き継ぐように制御する。この場合、後述するように撮影が行われた場合には再生に関する作業情報は破棄されるが、そうでない場合（前回再生終了以来新たな画像の追加が無い場合）には、レジューム再生が行われる。
【００６０】
次に、図４（ａ）を参照して、図３のＳ３０５で前述したオートパワーオフ時間設定処理の詳細について説明する。この処理は、特に断らない限り、不揮発性メモリ５６に記録されたプログラムをシステムメモリ５２に展開してシステム制御部５０が実行することで実現する。
【００６１】
Ｓ４０１で、システム制御部５０は、表示部２８にオートパワーオフ時間の設定画面を表示する。図４（ｂ）に設定画面の例を示す。設定画面には、オートパワーオフ時間の設定値の候補として、１０秒、３０秒、１分、５分、１５分、３０分、しない、の選択肢が表示される。「しない」の設定値は、無操作の時間に応じたオートパワーオフをしない設定であり、オートパワーオフ時間を「しない」に設定していた場合は、後述のＳ４０２ではＮｏ（Ｔ１よりも短い）と判定される（この場合は警告不要であるため）。選択枠４１０（カーソル）は、現在選択されている選択肢（現在設定されているオートパワーオフ時間）を示している。ユーザは、操作部７０に含まれる十字キー７４の上下ボタンによって選択枠４１０を上下に移動させることで、これらの選択肢のうち任意の選択肢を選択して設定できる。
【００６２】
Ｓ４０２で、システム制御部５０は、現在設定されているオートパワーオフ時間がＴ１より長いか否かを判定する。オートパワーオフ時間がＴ１より長い場合、処理はＳ４０３に進み、そうでない場合（Ｔ１以下である場合）、処理はＳ４０４に進む。
【００６３】
Ｓ４０３で、システム制御部５０は、警告として、現在設定（選択）されているオートパワーオフ時間では、オートパワーオフ時にカメラの設定情報（上述のブラケット撮影の作業情報、再生に関する作業情報）が保存されない旨のメッセージ表示を行う。図４（ｃ）に、表示部２８における警告表示の表示例を示す。選択枠４１０は３０秒に合わせられており、オートパワーオフ時間がＴ１（ここでは、１０秒とする）より長い３０秒に設定されている。従って、システム制御部５０が警告４１１を表示することで、この設定時間においてオートパワーオフで電源がオフ状態になると、ブラケット撮影などの作業の状態が引き継がれない旨を事前にユーザに通知することができる。これによってユーザは、より意図に沿ったオートパワーオフ時間を設定することができる。なお、オートパワーオフ時間がＴ１以下に設定されている場合には、図４（ｂ）に示したように、システム制御部５０は、警告４１１を表示しない。
【００６４】
Ｓ４０４で、システム制御部５０は、オートパワーオフ時間の変更操作があったか否かを判定する。具体的には、ここでの判定は、操作部７０含まれる十字キー７４の上下ボタンによって選択枠４１０を上下に移動させる操作があったか否かの判定である。オートパワーオフ時間の変更操作があった場合、処理はＳ４０５に進み、そうでない場合、処理はＳ４０６に進む。
【００６５】
Ｓ４０５で、システム制御部５０は、選択枠４１０を移動すると共に、選択枠４１０の合わせられた選択肢に対応する時間をオートパワーオフ時間として不揮発性メモリ５６に記録する。また、警告４１１が表示されている場合、システム制御部５０は、警告４１１を消去する。
【００６６】
Ｓ４０６で、システム制御部５０は、オートパワーオフ時間の設定画面を閉じる操作（設定終了操作）があったか否かを判定する。例えば、操作部７０に含まれるメニューボタンの押下や、シャッターボタン６１の半押しによってオートパワーオフの設定画面を閉じることができる。設定画面を閉じる操作があった場合、処理は図３のフローチャートに戻り、そうでない場合、処理はＳ４０４に進む。
【００６７】
次に、図５を参照して、図３のＳ３０７で前述した撮影処理の詳細について説明する。この処理は、特に断らない限り、不揮発性メモリ５６に記録されたプログラムをシステムメモリ５２に展開してシステム制御部５０が実行することで実現する。
【００６８】
Ｓ５０１で、システム制御部５０は、ブラケット撮影の設定中であるか否かを判定する。ユーザが予めブラケット撮影を開始する操作を行うと、ブラケット撮影の設定中となり、ブラケット撮影の設定中であることを示すフラグ（ブラケット撮影フラグ）がシステムメモリ５２に保持される。また、１組のブラケット撮影のうちの何回目の撮影までを行ったかを示す変数として、ブラケット枚数もシステムメモリ５２に保持される。ブラケット枚数は、初期値は０（０枚）である。ブラケット撮影フラグが保持されているか、又はブラケット枚数の情報が保持されている場合、システム制御部５０は、ブラケット撮影の設定中であると判定して処理をＳ５０３に進める。そうでない通常の撮影の場合、システム制御部５０は、処理をＳ５０２に進める。
【００６９】
Ｓ５０２で、システム制御部５０は、通常の露出演算を行う。即ち、システム制御部５０は、シャッター秒時（露光時間）、絞り値等を決定するための測光演算処理（ＡＥ処理）を行う。Ｓ５０２でのＡＥ処理は、ブラケット撮影で基準値の撮影を行う場合と同様となる。
【００７０】
Ｓ５０３で、システム制御部５０は、ブラケット設定に応じた露出演算を行う。即ち、システム制御部５０は、現在のブラケット枚数に応じて、次のブラケット撮影で撮影すべき露出値（シャッター秒時（露光時間）、絞り値等）を決定するための測光演算処理（ＡＥ処理）を行う。
【００７１】
Ｓ５０４で、システム制御部５０は、レンズシステム制御回路４を制御してＡＦを行う。なお、ＭＦ（マニュアルフォーカス）に設定されている場合はこの処理は行わない。
【００７２】
Ｓ５０５で、システム制御部５０は、シャッターボタン６１が全押しされ、ＳＷ２がオンとなったか否かを判定する。ＳＷ２がオンとなった場合、処理はＳ５０７に進み、そうでない場合、処理はＳ５０６に進む。
【００７３】
Ｓ５０６で、システム制御部５０は、ＳＷ１のオンが保持されているか否かを判定する。保持されている場合、処理はＳ５０５に進み、そうでない場合、システム制御部５０は撮影処理を終了し、処理を図３のＳ３０２に進める。
【００７４】
Ｓ５０７で、システム制御部５０は、Ｓ５０２又はＳ５０３のＡＥ結果に基づく露光時間（シャッター速度）で撮影（露光）を行い、撮像された画像を画像ファイルとして記録媒体２００に記録する。
【００７５】
Ｓ５０８で、システム制御部５０は、システムメモリ５２又は不揮発性メモリ５６に記録した再生開始番号の情報をクリアする。これによって、次回再生時にはレジューム再生が行われず、最新の画像が再生される。
【００７６】
Ｓ５０９で、システム制御部５０は、Ｓ５０１と同様にブラケット撮影の設定中であるか否かを判定する。ブラケット撮影の設定中である場合、処理はＳ５１０に進み、そうでない場合、システム制御部５０は撮影処理を終了し、処理を図３のＳ３０２に進める。
【００７７】
Ｓ５１０で、システム制御部５０は、システムメモリ５２に保持したブラケット枚数を１つカウントアップする。
【００７８】
Ｓ５１１で、システム制御部５０は、ブラケット枚数が設定枚数に達したか否か、即ち、１組のブラケット撮影が終了したか否かを判定する。ブラケット枚数が設定枚数に達した場合、処理はＳ５１２に進む。そうでない場合、システム制御部５０は撮影処理を終了し、処理を図３のＳ３０２に進める。
【００７９】
Ｓ５１２では、システム制御部５０は、ブラケット撮影の設定を解除する。即ち、システム制御部５０は、ブラケット撮影フラグをオフにすると共に、ブラケット枚数の変数を破棄する。
【００８０】
次に、図６を参照して、図３のＳ３０９で前述した再生モード処理の詳細について説明する。この処理は、不揮発性メモリ５６に記録されたプログラムをシステムメモリ５２に展開してシステム制御部５０が実行することで実現する。
【００８１】
Ｓ６０１で、システム制御部５０は、記録媒体２００に記録された画像の管理情報の読み込みや、オートパワーオフタイマのカウント開始などの初期処理を行う。
【００８２】
Ｓ６０２で、システム制御部５０は、システムメモリ５２に、再生に関する作業情報（再生開始番号）が記録されているか否かを判定する。再生開始番号が記録されている場合、処理はＳ６０４に進み、再生開始番号が記録されていない場合（或いは、レジューム再生を行う旨の情報が無い）場合、処理はＳ６０３に進む。
【００８３】
Ｓ６０３で、システム制御部５０は、記録媒体２００に記録された画像のうち最新の画像（最後に撮影された画像）を再生して表示部２８に表示する。
【００８４】
Ｓ６０４で、システム制御部５０は、記録媒体２００に記録された画像のうち再生開始番号が示す画像を再生して表示部２８に表示する。即ち、システム制御部５０は、レジューム再生を行う。
【００８５】
Ｓ６０５〜Ｓ６０８の処理は、前述した図３のＳ３０２〜Ｓ３０５の処理と同様である。
【００８６】
Ｓ６０９で、システム制御部５０は、Ｓ６０５で行われた操作が、表示部２８に表示された画像を切り替える（画像送り／画像戻しを行う）操作（切替操作）であったか否かを判定する。画像を切り替える操作であった場合、処理はＳ６１０に進み、そうでない場合、処理はＳ６１１に進む。
【００８７】
Ｓ６１０で、システム制御部５０は、表示部２８に表示される画像を切り替えると共に、システムメモリ５２に保持した再生開始番号の情報を、切替後の画像を示す情報に更新する。
【００８８】
Ｓ６１１で、システム制御部５０は、Ｓ６０５で行われた操作が、再生ボタン７９の押下又はＳＷ１オンであったか否かを判定する。再生ボタン７９の押下又はＳＷ１オンであった場合、処理はＳ６１２に進んで撮影モードに遷移し、そうでない場合、処理はＳ６１３に進む。Ｓ６１２の撮影モード処理は、図３を参照して説明した処理である。即ち、処理はＳ６１２からＳ３０１へと遷移する。
【００８９】
Ｓ６１３で、システム制御部５０は、Ｓ６０５で行われた操作が、電源スイッチ７２に対する電源をオフするための操作であったか否かを判定する。電源をオフするための操作であった場合、処理はＳ６１５に進み、そうでない場合、処理はＳ６１４に進む。
【００９０】
Ｓ６１４で、システム制御部５０は、その他の操作に応じたその他の処理を行う。例えば、システム制御部５０は、画像の削除や拡大などを行う。
【００９１】
Ｓ６１５〜Ｓ６２０の処理は、前述した図３のＳ３１２〜Ｓ３１７の処理と同様である。即ち、電源スイッチ７２によるユーザの意図的な電源のオフであった場合、システム制御部５０は、次回起動時に作業情報（ブラケット枚数及び再生開始番号）を引き継がないように制御する。また、オートパワーオフによる電源オフであった場合、システム制御部５０は、オートパワーオフ時間がＴ１以下であれば作業情報を引き継ぐように制御し、オートパワーオフ時間がＴ１より長ければ作業情報を引き継がないように制御する。
【００９２】
以上説明した実施形態では、電源オフに応じてブラケット枚数が破棄される場合に、システム制御部５０は、ブラケット撮影フラグをオフにして、次回起動時はブラケット撮影を途中からも最初からも開始しないものとした。しかし、システム制御部５０は、ブラケット枚数はクリアしても、ブラケット撮影フラグはオフにしないように構成されていてもよい。この場合、次回起動時には、ブラケット枚数は０枚に初期化されるが、システム制御部５０は、ブラケット撮影を最初から（１枚目から）開始する。このように、ブラケット撮影に関してシステム制御部５０が引き継ぐか否かを切り替える作業情報は、ブラケット枚数及びブラケット撮影フラグの両方を含んでもよいし、ブラケット枚数のみを含んでもよい。
【００９３】
また、上記の実施形態では、ブラケット撮影として露出のブラケット撮影（ＡＥＢ）について説明したが、露出以外のブラケット撮影にも本実施形態を適用可能である。例えば、フォーカス位置を撮影回ごとに自動的にずらして撮影するフォーカスブラケット撮影、ホワイトバランス設定値（ＷＢ設定値）を撮影回ごとに自動的にずらして撮影するＷＢブラケット撮影なども、本実施形態の範囲に含まれる。
【００９４】
また、複数回の撮影を含む１組の撮影を行う撮影方法であれば、ブラケット撮影以外にも本実施形態を適用可能である。例えば、１組の複数回の撮影を行って得た画像を合成する撮影方法に本実施形態を適用可能である。この場合も、電源スイッチ７２による意図的な電源のオフであった場合には、システム制御部５０は、１組の一連の撮影の中での何回目の撮影であるかの作業情報を破棄する。オートパワーオフによる電源オフであった場合には、システム制御部５０は、オートパワーオフ時間がＴ１以下であれば作業情報を保存し、Ｔ１より長ければ作業情報を破棄する。この場合、閾値となるオートパワーオフの設定時間は、ブラケット撮影の作業情報を破棄するかを判断するためのＴ１ではなく、Ｔ１と異なるＴ３を用いてもよい。本実施形態を適用可能な、複数回の撮影を含む１組の撮影を行う撮影方法として、例として以下のような撮影方法が挙げられる。
【００９５】
・多重露光撮影：複数回の撮影で得られた各画像を、所定の合成比率や、比較明合成、比較暗合成などで重ねて合成した画像を得るための、１組複数回の撮影。
【００９６】
・パノラマ撮影：複数回の撮影で得られた各画像を、左右又は上下などの平面方向に合成してパノラマ画像を得るための、１組複数回の撮影。
【００９７】
・レイアウト撮影（コラージュ撮影）：複数回の撮影で得られた各画像を、所定のレイアウトで平面上に配置した１枚の合成画像を得るための、１組複数回の撮影。
【００９８】
以上説明したように、第１の実施形態によれば、デジタルカメラ１００は、オートパワーオフが行われた場合、オートパワーオフが行われた時の作業状態を、次に電源オン状態になった時に引き継ぐか否かを、オートパワーオフ時間に基づいて切り替える。具体的には、デジタルカメラ１００は、オートパワーオフ時間が閾値の時間以下であれば、オートパワーオフが行われた時の作業状態を引き継ぐように制御する（状態制御）。また、デジタルカメラ１００は、オートパワーオフ時間が閾値の時間より長ければ、オートパワーオフが行われた時の作業状態を引き継がないように制御する（状態制御）。これにより、電子機器がオートパワーオフ後の電源オン時にオートパワーオフ前の作業状態を引き継ぐか否かをより適切に選択することが可能となる。
【００９９】
［変形例１］
図７を参照して、図３のＳ３１４に続くＳ３１５〜Ｓ３１７の処理のうち、ブラケット撮影の作業情報に関する部分の変形例を説明する。図７の処理は、図３のＳ３１４に続くＳ３１５〜Ｓ３１７のうち、ブラケット撮影の作業情報に関する部分の処理に置き換わる処理である。変形例１において、再生の作業情報に関する部分の処理については、例えば、図３のＳ３１５〜Ｓ３１７の処理と同様である。図７の処理は、特に断らない限り、不揮発性メモリ５６に記録されたプログラムをシステムメモリ５２に展開してシステム制御部５０が実行することで実現する。
【０１００】
Ｓ７０１で、システム制御部５０は、図５のＳ５０１と同様、ブラケット撮影の設定中であるか否かを判定する。ブラケット撮影の設定中である場合、処理はＳ７０２に進み、そうでない場合、処理はＳ７０５に進む。
【０１０１】
Ｓ７０２で、システム制御部５０は、オートパワーオフ時間がＴ１より長いか否かを判定する。オートパワーオフ時間がＴ１より長い場合、処理はＳ７０３に進み、オートパワーオフ時間がＴ１以下である場合、処理はＳ７０４に進む。
【０１０２】
Ｓ７０３で、システム制御部５０は、ブラケット枚数をクリアする。但し、システム制御部５０は、ブラケット撮影フラグをＯＮのまま保持する。加えて、システム制御部５０は、ブラケット枚数保存フラグをＯＦＦにして不揮発性メモリ５６に記憶する。
【０１０３】
Ｓ７０４で、システム制御部５０は、ブラケット枚数を保存する。加えて、システム制御部５０は、ブラケット枚数保存フラグをＯＮにして不揮発性メモリ５６に記憶する。
【０１０４】
Ｓ７０５で、システム制御部５０は、図３のＳ３１７と同様、電源をオフ状態にする。Ｓ７０６で、システム制御部５０は、オートパワーオフから復帰するための操作が行われたか否かを判定する。例えば、システム制御部５０は、操作部７０、モード切替スイッチ６０、シャッターボタン６１、又は電源スイッチ７２に対して何らかの操作が行われた場合に、オートパワーオフから復帰するための操作が行われたと判断する。オートパワーオフから復帰するための操作が行われた場合、処理はＳ７０７に進み、そうでない場合、Ｓ７０６の判定が繰り返される。
【０１０５】
Ｓ７０７で、システム制御部５０は、電源をオン状態にする。Ｓ７０８で、システム制御部５０は、ブラケット撮影の設定中であるか否かを判定する。ブラケット撮影の設定中である場合、処理はＳ７０９に進み、そうでない場合、処理は図３のＳ３０２に進む。
【０１０６】
Ｓ７０９で、システム制御部５０は、ブラケット枚数保存フラグがＯＮであるか否かを判定する。ブラケット枚数保存フラグがＯＮの場合、処理はＳ７１０に進み、そうでない場合、処理はＳ７１１に進む。
【０１０７】
Ｓ７１０で、システム制御部５０は、表示部２８に「前回のブラケット撮影途中状態から再開します」というメッセージを表示することで、ブラケット撮影の作業状態が引き継がれる旨をユーザに通知する。
【０１０８】
Ｓ７１１で、システム制御部５０は、表示部２８に「前回のブラケット撮影途中状態は失われました」というメッセージを表示することで、ブラケット撮影の作業状態が引き継がれない旨をユーザに通知する。この時、システム制御部５０は、ブラケット撮影フラグをＯＦＦに変更してもよい。
【０１０９】
［変形例２］
図８を参照して、図３のＳ３１６に続くＳ３１７の処理の変形例を説明する。図８の処理は、図３のＳ３１６に続くＳ３１７の処理に置き換わる処理である。図８の処理は、特に断らない限り、不揮発性メモリ５６に記録されたプログラムをシステムメモリ５２に展開してシステム制御部５０が実行することで実現する。
【０１１０】
Ｓ８０１で、システム制御部５０は、現在時刻（オートパワーオフによる電源オフの時刻）を不揮発性メモリ５６に記憶する。Ｓ８０２で、システム制御部５０は、図３のＳ３１７と同様、電源をオフ状態にする。
【０１１１】
Ｓ８０３で、システム制御部５０は、オートパワーオフから復帰するための操作が行われたか否かを判定する。例えば、システム制御部５０は、操作部７０、モード切替スイッチ６０、シャッターボタン６１、又は電源スイッチ７２に対して何らかの操作が行われた場合に、オートパワーオフから復帰するための操作が行われたと判断する。オートパワーオフから復帰するための操作が行われた場合、処理はＳ８０４に進み、そうでない場合、Ｓ８０３の判定が繰り返される。
【０１１２】
Ｓ８０４で、システム制御部５０は、電源をオン状態にする。Ｓ８０５で、システム制御部５０は、Ｓ８０１において記憶した電源オフの時刻から所定時間以上経過したか否かを判定する。所定時間以上経過した場合、処理はＳ８０６に進み、そうでない場合、処理はＳ８０８に進む。
【０１１３】
Ｓ８０６で、システム制御部５０は、図３のＳ３１２と同様、作業情報（ブラケット枚数及び再生開始番号）をクリアする。Ｓ８０７で、システム制御部５０は、表示部２８に「前回のブラケット撮影状態及び再生状態は失われました」というメッセージを表示することで、作業状態が引き継がれない旨をユーザに通知する。その後、処理はＳ３０２に進む。
【０１１４】
Ｓ８０８で、システム制御部５０は、表示部２８に「前回のブラケット撮影状態及び再生状態が引き継がれます」というメッセージを表示することで、作業状態が引き継がれる旨をユーザに通知する。その後、処理はＳ３０２に進む。
【０１１５】
オートパワーオフが行われ、かつオートパワーオフ時間がＴ１以下である場合であっても、再び電源がオン状態にされた時にオートパワーオフの時刻から長時間経過していた場合には、ユーザに作業を継続する意図が無い可能性がある。そこで、変形例２では、再び電源がオン状態にされた時にオートパワーオフの時刻から長時間経過していた場合には、システム制御部５０は、作業情報を引き継がないように制御する。これにより、ユーザの意図に反してブラケット撮影などの作業が継続する可能性を低減することができる。
【０１１６】
［変形例３］
図４（ａ）のＳ４０２においてＮｏと判定された場合に追加で行われる処理について説明する。ユーザは、操作部７０の操作などを通じて、引き継ぎ対象の作業情報を選択することができる。例えば、システム制御部５０は、表示部２８にそれぞれ「ブラケット枚数」及び「再生開始番号」というテキストを伴う２つのチェックボックスを表示する。システム制御部５０は、ここでチェックされた項目に対応する作業情報を、図３のＳ３１６や図６のＳ６１９の処理における引き継ぎの対象として扱う。即ち、システム制御部５０は、オートパワーオフ時間が閾値以下の設定でオートパワーオフが行われた場合に、次回起動時に作業状態を引き継ぐように制御するか否かを、ユーザ操作に応じて切り替えることができる。
【０１１７】
［その他の実施形態］
なお、システム制御部５０が行うものとして説明した上述の各種制御は、１つのハードウェアが行ってもよいし、複数のハードウェアが処理を分担することで、装置全体の制御を行ってもよい。
【０１１８】
また、本発明をその好適な実施形態に基づいて詳述してきたが、本発明はこれら特定の実施形態に限られるものではなく、この発明の要旨を逸脱しない範囲の様々な形態も本発明に含まれる。更に、上述した各実施形態は本発明の一実施形態を示すものにすぎず、各実施形態を適宜組み合わせることも可能である。
【０１１９】
また、上述した実施形態においては、本発明をデジタルカメラに適用した場合を例にして説明したが、これはこの例に限定されず、オートパワーオフ機能を有すると共にユーザ操作に応じて何らかの作業を実行する電子機器であれば適用可能である。即ち、本発明は、パーソナルコンピュータやＰＤＡ、携帯電話端末や携帯型の画像ビューワ、ディスプレイを備えるプリンタ装置、デジタルフォトフレーム、音楽プレーヤー、ゲーム機、電子ブックリーダーなどに適用可能である。また、本発明は、タブレット端末、スマートフォン、投影装置、ディスプレイを備える家電装置や車載装置などにも適用可能である。
【０１２０】
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【０１２１】
２２…撮像部、２８…表示部、５０…システム制御部、５２…システムメモリ、５６…不揮発性メモリ、７０…操作部、７２…電源スイッチ、１００…デジタルカメラ、１５０…レンズユニット
【図１】
2018091971.tif 000003
【図２】
2018091971.tif 000004
【図３】
2018091971.tif 000005
【図４】
2018091971.tif 000006
【図５】
2018091971.tif 000007
【図６】
2018091971.tif 000008
【図７】
2018091971.tif 000009
【図８】
2018091971.tif 000010